(57)【特許請求の範囲】
【請求項１】
紙葉状の媒体を入出する入出部と、
前記入出部と接続され、第１搬送経路に沿って前記媒体を搬送する第１搬送部と、
両端の間で前記媒体を搬送する鑑別搬送部を内部に有し、前記鑑別搬送部における一端が前記第１搬送部に接続され、前記鑑別搬送部により搬送される前記媒体を鑑別する鑑別部と、
前記鑑別搬送部における他端に接続され、第２搬送経路に沿って前記媒体を搬送する第２搬送部と、
前記第２搬送部に設けられ、前記媒体の搬送経路を切り替える収納切替部と、
前記収納切替部を介して前記第２搬送部に接続され、前記媒体を収納する媒体収納庫と、
前記第２搬送部に設けられ、前記第２搬送経路上で前記鑑別部に対し前記収納切替部よりも遠方に配置され、前記媒体の搬送経路を切り替える区別切替部と、
前記区別切替部を介して前記第２搬送部に接続され、前記鑑別部により前記媒体収納庫に収納する前記媒体とは区別すべき媒体と判断された区別媒体を収納する区別収納庫と、
前記鑑別部における鑑別結果を利用して、前記媒体が前記媒体収納庫に収納すべきと鑑別された場合に当該媒体を前記媒体収納庫に進行させる搬送経路を形成し、前記媒体が前記区別収納庫に収納すべきと鑑別された場合に当該媒体を前記区別収納庫に進行させる搬送経路を形成するよう、前記第１搬送部並びに前記第２搬送部の前記収納切替部及び前記区別切替部における前記媒体の搬送経路をそれぞれ制御する制御部と
を具えることを特徴とする媒体処理装置。
【請求項２】
前記第２搬送部に設けられ、前記媒体の搬送経路を切り替える一時保留切替部と、
前記一時保留切替部を介して前記第２搬送部と接続され、前記媒体を一時的に収納する一時保留部と
をさらに具え、
前記区別切替部は、前記第２搬送経路上で前記鑑別部に対し前記一時保留切替部よりも遠方に配置されている
ことを特徴とする請求項１に記載の媒体処理装置。
【請求項３】
前記制御部は、前記入出部に投入された前記媒体のうち、前記鑑別部において正当であると鑑別された前記媒体を前記一時保留部へ搬送して収納させ、前記鑑別部において正当で無いと鑑別された前記媒体を前記区別収納庫へ搬送して収納させる
ことを特徴とする請求項２に記載の媒体処理装置。
【請求項４】
開口部分を有する筐体と、
前記筐体の前記開口部分を開放し又は閉塞する扉と、
前記筐体内に収納され又は前記開口部分から外部に引き出される可動ユニットと、
前記可動ユニットに設けられ、紙葉状の媒体を入出する入出部と、
前記可動ユニットに設けられ、前記入出部と接続され、第１搬送経路に沿って前記媒体を搬送する第１搬送部と、
前記可動ユニットに設けられ、両端の間で前記媒体を搬送する鑑別搬送部を内部に有し、前記鑑別搬送部における一端が前記第１搬送部に接続され、前記鑑別搬送部により搬送される前記媒体を鑑別する鑑別部と、
前記可動ユニットに設けられ、前記鑑別搬送部における他端に接続され、第２搬送経路に沿って前記媒体を搬送する第２搬送部と、
前記第２搬送部に設けられ、前記媒体の搬送経路を切り替える収納切替部と、
前記収納切替部を介して前記第２搬送部に接続され、前記媒体を収納する媒体収納庫と、
前記第２搬送部に設けられ、前記第２搬送経路上で前記鑑別部に対し前記収納切替部よりも遠方に配置され、前記媒体の搬送経路を切り替える区別切替部と、
前記可動ユニットに設けられ、前記区別切替部を介して前記第２搬送部に接続され、前記鑑別部により前記媒体収納庫に収納する前記媒体と区別すべきと鑑別された区別媒体を収納する区別収納庫と、
前記鑑別部における鑑別結果を利用して、前記媒体が前記媒体収納庫に収納すべきと鑑別された場合に当該媒体を前記媒体収納庫に進行させる搬送経路を形成し、前記媒体が前記区別収納庫に収納すべきと鑑別された場合に当該媒体を前記区別収納庫に進行させる搬送経路を形成するよう、前記第１搬送部並びに前記第２搬送部の前記収納切替部及び前記区別切替部における前記媒体の搬送経路をそれぞれ制御する制御部と
を具え、
前記区別収納庫は、前記可動ユニットに対し着脱可能に取り付けられ、且つ前記可動ユニットが前記筐体内に収納された状態において、当該可動ユニットからの離脱が抑制されている
ことを特徴とする媒体取引装置。
【請求項５】
前記区別収納庫は、前記可動ユニットが前記筐体内に収納された状態において、前記開口部分に面する取外抑制部により、前記可動ユニットからの取り外しが抑制されている
ことを特徴とする請求項４に記載の媒体取引装置。
【請求項６】
前記取外抑制部は、前記媒体を搬送する区別搬送部である
ことを特徴とする請求項５に記載の媒体取引装置。
【請求項７】
前記区別収納庫は、前記可動ユニットに対し、当該可動ユニットを前記筐体の内部から外部へ引き出す引出方向と異なる相違方向へ変位させることにより、当該可動ユニットから取り外される
ことを特徴とする請求項４に記載の媒体取引装置。
【請求項８】
前記可動ユニットは、互いの機能が異なる複数種類の前記区別収納庫を換装可能である
ことを特徴とする請求項４に記載の媒体取引装置。
【請求項９】
前記制御部は、前記鑑別部において再利用すべきで無いと鑑別された前記媒体を前記区別収納庫へ搬送して収納させる
ことを特徴とする請求項４に記載の媒体取引装置。
【発明の詳細な説明】
【技術分野】
【０００１】
本発明は媒体処理装置及び媒体取引装置に関し、例えば紙幣のような紙葉状の媒体を投入して所望の取引を行う現金自動預払機（ＡＴＭ：Automatic Teller Machine）等に適用して好適なものである。
【背景技術】
【０００２】
従来、金融機関等で使用される現金自動預払機においては、顧客との取引内容に応じて、例えば顧客に紙幣や硬貨等の現金を入金させる入金取引や、顧客へ現金を出金する出金取引等の各種取引を行うようになっている。また現金自動預払機の種類として、ある取引において顧客から入金された紙幣を次回以降の取引において再利用して他の顧客へ出金する、いわゆるリサイクル型（又は環流型）と呼ばれるものがある。
【０００３】
このようなリサイクル型の現金自動預払機として、例えば紙幣の入出金に関する処理を行う紙幣入出金機を搭載したものがある。この紙幣入出金機は、例えば顧客との間で紙幣の授受を行う入出金部（入出金口）と、紙幣を搬送する搬送部と、投入された紙幣の金種及び真偽を鑑別する鑑別部（紙幣判別部）と、投入された紙幣を一時的に保留する一時保留部（一時保管庫）と、紙幣を収納する紙幣収納庫とを有している。また紙幣入出金機は、鑑別部において再利用すべきで無いと鑑別されたリジェクト紙幣を収納するリジェクト庫も有している。（例えば、特許文献１参照）。
【先行技術文献】
【特許文献】
【０００４】
【特許文献１】特開２００６−８５７３６号公報（第３図）
【発明の概要】
【発明が解決しようとする課題】
【０００５】
ところで従来の紙幣入出金機では、例えば筐体の上側において、入出金部、鑑別部、一時保留部を互いに繋ぐような搬送経路を形成し、且つ筐体の下側において、複数の紙幣収納庫を結ぶような搬送経路を形成していた。この紙幣入出金機では、特に筐体の上側において、鑑別部の一端側に入出金部及び筐体の下側との接続経路を形成し、且つ鑑別部の他端側に一時保留部を接続し、さらにリジェクト庫を筐体の上側における鑑別部の他端側の搬送経路又は筐体の下側の搬送経路に接続していた。
【０００６】
すなわち従来の紙幣入出金機では、取引に必要な処理を順次行うために、比較的長い搬送経路が形成されていた。このため従来の紙幣入出金機では、搬送経路の構成が複雑なものとなり、また構成する部品も多くなるため、それだけ故障の可能性が高まり、保守作業の必要性も生じる、という問題があった。
【０００７】
本発明は以上の点を考慮してなされたもので、搬送経路の短縮により安定性を高め得る媒体処理装置及び媒体取引装置を提案しようとするものである。
【課題を解決するための手段】
【０００８】
かかる課題を解決するため本発明の媒体処理装置においては、紙葉状の媒体を入出する入出部と、入出部と接続され、第１搬送経路に沿って媒体を搬送する第１搬送部と、両端の間で媒体を搬送する鑑別搬送部を内部に有し、鑑別搬送部における一端が第１搬送部に接続され、鑑別搬送部により搬送される媒体を鑑別する鑑別部と、鑑別搬送部における他端に接続され、第２搬送経路に沿って媒体を搬送する第２搬送部と、第２搬送部に設けられ、媒体の搬送経路を切り替える収納切替部と、収納切替部を介して第２搬送部に接続され、媒体を収納する媒体収納庫と、第２搬送部に設けられ、第２搬送経路上で鑑別部に対し収納切替部よりも遠方に配置され、媒体の搬送経路を切り替える区別切替部と、区別切替部を介して第２搬送部に接続され、鑑別部により媒体収納庫に収納する媒体とは区別すべき媒体と判断された区別媒体を収納する区別収納庫と、鑑別部における鑑別結果を利用して、媒体が媒体収納庫に収納すべきと鑑別された場合に当該媒体を媒体収納庫に進行させる搬送経路を形成し、媒体が区別収納庫に収納すべきと鑑別された場合に当該媒体を区別収納庫に進行させる搬送経路を形成するよう、第１搬送部並びに第２搬送部の収納切替部及び区別切替部における媒体の搬送経路をそれぞれ制御する制御部とを設けるようにした。
【０００９】
また本発明の媒体取引装置においては、開口部分を有する筐体と、筐体の開口部分を開放し又は閉塞する扉と、筐体内に収納され又は前記開口部分から外部に引き出される可動ユニットと、可動ユニットに設けられ、紙葉状の媒体を入出する入出部と、可動ユニットに設けられ、入出部と接続され、第１搬送経路に沿って媒体を搬送する第１搬送部と、可動ユニットに設けられ、両端の間で媒体を搬送する鑑別搬送部を内部に有し、鑑別搬送部における一端が第１搬送部に接続され、鑑別搬送部により搬送される媒体を鑑別する鑑別部と、可動ユニットに設けられ、鑑別搬送部における他端に接続され、第２搬送経路に沿って媒体を搬送する第２搬送部と、第２搬送部に設けられ、媒体の搬送経路を切り替える収納切替部と、収納切替部を介して第２搬送部に接続され、媒体を収納する媒体収納庫と、第２搬送部に設けられ、第２搬送経路上で鑑別部に対し収納切替部よりも遠方に配置され、媒体の搬送経路を切り替える区別切替部と、可動ユニットに設けられ、区別切替部を介して第２搬送部に接続され、鑑別部により媒体収納庫に収納する媒体と区別すべきと鑑別された区別媒体を収納する区別収納庫と、鑑別部における鑑別結果を利用して、媒体が媒体収納庫に収納すべきと鑑別された場合に当該媒体を媒体収納庫に進行させる搬送経路を形成し、媒体が区別収納庫に収納すべきと鑑別された場合に当該媒体を区別収納庫に進行させる搬送経路を形成するよう、第１搬送部並びに第２搬送部の収納切替部及び区別切替部における媒体の搬送経路をそれぞれ制御する制御部とを設け、区別収納庫は、可動ユニットに対し着脱可能に取り付けられ、且つ可動ユニットが筐体内に収納された状態において、当該可動ユニットからの離脱が抑制されているようにした。
【００１０】
本発明は、鑑別部の一端に接続された第１搬送部に入出部を接続し、且つ当該鑑別部の他端に接続された第２搬送部に媒体収納庫及び区別収納庫を接続するようにした。これにより本発明は、特許文献１のように鑑別部と区別収納庫とを直接接続する搬送経路を形成する場合と比較して、媒体に対し従来と同様の処理を行いながら、搬送経路をより簡素化でき、全長を短縮できる。また本発明は、鑑別部に対し区別切替部を収納切替部よりも遠方に配置したため、媒体収納庫と鑑別部との間で搬送される多くの媒体が該区別切替部を通過する必要無く、簡素な搬送路により障害の発生頻度を低減させることができる。
【発明の効果】
【００１１】
本発明によれば、搬送経路の短縮により安定性を高め得る媒体処理装置及び媒体取引装置を実現できる。
【図面の簡単な説明】
【００１２】
【図１】現金自動預払機の全体構成を示す略線的斜視図である。
【図２】現金自動預払機における後扉の開閉を示す略線図である。
【図３】第１の実施の形態による紙幣入出金機の構成を示す略線図である。
【図４】紙幣入出金機における各ブロックの引き出しを示す略線図である。
【図５】搬送部の構成を示す略線図である。
【図６】入金計数処理における紙幣の搬送を示す略線図である。
【図７】入金収納処理における紙幣の搬送を示す略線図である。
【図８】出金処理における紙幣の搬送を示す略線図である。
【図９】第２の実施の形態による上部ブロックの構成を示す略線図である。
【図１０】第２の実施の形態による上部カセットの取り外しを示す略線図である。
【図１１】第３の実施の形態による紙幣入出金機の構成を示す略線図である。
【図１２】第３の実施の形態による各モジュールの構成を示す略線図である。
【図１３】他の実施の形態による上部カセットの取り外しを示す略線図である。
【図１４】他の実施の形態による上部カセットの取り外しを示す略線図である。
【図１５】他の実施の形態による上部カセットの取り外しを示す略線図である。
【図１６】他の実施の形態による上部カセットの取り外しを示す略線図である。
【図１７】他の実施の形態による上部カセットの取り外しを示す略線図である。
【発明を実施するための形態】
【００１３】
以下、発明を実施するための形態（以下実施の形態とする）について、図面を用いて説明する。
【００１４】
［１．第１の実施の形態］
［１−１．現金自動預払機の全体構成］
図１に外観を示すように、現金自動預払機１は、箱状の筐体２を中心に構成されており、例えば金融機関等に設置され、顧客との間で入金処理や出金処理等の現金に関する取引を行う。
【００１５】
筐体２は、その前側に顧客が対峙した状態で紙幣の投入やタッチパネルによる操作等をしやすい箇所に顧客応対部３が設けられている。顧客応対部３は、顧客との間で例えば現金やカード等を直接やり取りすると共に、取引に関する情報の通知や操作指示の受付を行い、カード入出口４、入出金口５、操作表示部６、テンキー７、及びレシート発行口８が設けられている。
【００１６】
カード入出口４は、キャッシュカード等の各種カードが挿入または排出される部分である。カード入出口４の奥側には、各種カードに磁気記録された口座番号等の読み取りを行うカード処理部（図示せず）が設けられている。入出金口５は、顧客によって入金される紙幣が投入されると共に、顧客へ出金する紙幣が排出される部分である。また入出金口５は、シャッタを駆動することにより開放又は閉塞する。因みに媒体としての紙幣は、例えば長方形の紙で構成されている。
【００１７】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１８】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００１９】
筐体２内には、現金自動預払機１全体を統括制御する主制御部９や、紙幣に関する種々の処理を行う紙幣入出金機１０等が設けられている。主制御部９は、図示しないＣＰＵ（Central Processing Unit）を中心に構成されており、図示しないＲＯＭやフラッシュメモリ等から所定のプログラムを読み出して実行することにより、入金処理や出金処理等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２０】
また現金自動預払機１の筐体２は、図２（Ａ）及び（Ｂ）に示すように、後面が大きく開口されており、この開口された部分を開放又は閉塞するように、開閉可能な後扉２Ｒが設けられている。この後扉２Ｒには、第１錠Ｌ１が設けられており、これと対応する第１鍵Ｋ１により施錠又は解錠される。
【００２１】
すなわち筐体２は、後扉２Ｒが閉塞された状態で第１錠Ｌ１が施錠されていれば、図２（Ａ）当該後扉２Ｒを閉塞した状態を維持することで、内部へのアクセスを規制することができる。一方筐体２は、第１錠Ｌ１が第１鍵Ｋ１によって解錠されることにより、図２（Ｂ）に示したように、後扉２Ｒを開放することができ、これにより内部へのアクセスを許容することができる。
【００２２】
［１−２．紙幣入出金機の構成］
紙幣入出金機１０は、図３に側面図を示すように、外周を形成する紙幣入出金機筐体１１の内部に、紙幣に関する種々の処理を行う複数の部分が組み込まれている。紙幣入出金機１０は、大きく分けて、上下方向のほぼ中央よりも上側部分を占める上部ブロック１２と、その下側部分を閉める下部ブロック１３とにより構成されている。
【００２３】
上部ブロック１２は、可動ユニットとしての上部ユニット１５を中心に構成されている。上部ユニット１５は、前後方向に長い直方体状に形成されており、図４（Ａ）に示すように、前後方向にスライド可能なスライドレール１６を介して紙幣入出金機筐体１１に取り付けられている。
【００２４】
このため上部ユニット１５は、筐体２の後扉２Ｒが開放された状態（図２（Ｂ））において、紙幣入出金機筐体１１に対して前後方向へ移動（スライド）することにより、図４（Ａ）に示したように当該紙幣入出金機筐体１１内に収納され、または図４（Ｂ）に示すように当該紙幣入出金機筐体１１の後方へ引き出される。
【００２５】
また図２（Ｂ）に示したように、上部ユニット１５の後面には、第２錠Ｌ２が設けられており、第２鍵Ｋ２（図４（Ｂ））により施錠又は解錠される。このため紙幣入出金機１０は、上部ユニット１５が紙幣入出金機筐体１１内に収納された状態（図４（Ａ））で第２錠Ｌ２が施錠されていれば、当該紙幣入出金機筐体１１内からの上部ユニット１５の引出を抑制できる。一方紙幣入出金機１０は、第２錠Ｌ２が第２鍵Ｋ２によって解錠されることにより、図４（Ｂ）に示したように、紙幣入出金機筐体１１内からの上部ユニット１５の引出を許容することができる。
【００２６】
下部ブロック１３（図３）は、上部ユニット１５と対応する下部フレーム１８を中心に構成されている。下部フレーム１８は、図４（Ａ）に示したように、上部ユニット１５と同様、前後方向に長い直方体状に形成されており、前後方向にスライド可能なスライドレール１９を介して紙幣入出金機筐体１１に取り付けられている。また下部フレーム１８には、上部ユニット１５のような第２錠Ｌ２は取り付けられていない。
【００２７】
このため下部フレーム１８は、筐体２の後扉２Ｒが開放された状態（図２（Ｂ））において、第２鍵Ｋ２を用いること無く、紙幣入出金機筐体１１に対して前後方向へ移動（スライド）することにより、図４（Ａ）に示したように当該紙幣入出金機筐体１１内に収納され、または図４（Ｂ）に示したように当該紙幣入出金機筐体１１の後方へ引き出される。
【００２８】
因みに現金自動預払機１が設置される金融機関では、職員や保守作業員等に対し、その役職等に応じて個別にセキュリティレベルが設定されている。例えばセキュリティレベルが低い職員は、第１鍵Ｋ１を有するものの、第２鍵Ｋ２を有していない。一方、セキュリティレベルが高い職員は、第１鍵Ｋ１及び第２鍵Ｋ２の双方を有している。
【００２９】
このためセキュリティレベルが低い職員は、後扉２Ｒを開放して紙幣入出金機１０の下部フレーム１８を引き出すことができるものの、上部ユニット１５を引き出すことはできない。これに対しセキュリティレベルが高い職員は、下部フレーム１８に加えて上部ユニット１５も引き出すことができる。
【００３０】
［１−２−１．上部ブロックの構成］
上部ブロック１２の上部ユニット１５（図３）内には、全体を統括制御する紙幣制御部２１、顧客との間で紙幣を授受する入出金部２２、紙幣を各部へ搬送する搬送部２３、紙幣を鑑別する鑑別部２４、紙幣を一時的に収納する一時保留部２５、及び再利用すべきでないと判断されたリジェクト紙幣を収納する上部収納庫２６が設けられている。
【００３１】
制御部としての紙幣制御部２１は、主制御部９と同様、図示しないＣＰＵを中心に構成されている。この紙幣制御部２１は、図示しないＲＯＭやフラッシュメモリ等から所定のプログラムを読み出して実行することにより、紙幣の搬送先を決定する処理や各部の動作を制御する処理等、種々の処理を行う。また紙幣制御部２１は、内部にＲＡＭ及びフラッシュメモリ等でなる記憶部を有しており、この記憶部に種々の情報を記憶させる。
【００３２】
入出部としての入出金部２２は、上部ブロック１２内における前上部に位置している。この入出金部２２は、顧客から入金された紙幣及び顧客へ出金すべき紙幣を収容する収容器２２Ａを内部に有しており、その上方をシャッタ２２Ｂにより開閉し得るようになっている。収容器２２Ａ内には、複数の紙幣が紙面を前後方向に向けて集積された状態で、すなわち前後方向に沿って整列された状態で収容される。
【００３３】
また入出金部２２の前下方には、取込放出口２２Ｃ及び入出金搬送部２２Ｄが設けられている。取込放出口２２Ｃは、紙幣制御部２１の制御に基づき、取込モード及び放出モードといった２種類の動作モードを切り替えて動作するようになっている。すなわち取込放出口２２Ｃは、取込モードにおいて、収容器２２Ａ内の紙幣を１枚ずつに分離して所定の時間間隔毎に下方へ送り出し、入出金搬送部２２Ｄを介して搬送部２３に受け渡す。
【００３４】
鑑別部２４は、内部に複数種類のセンサが組み込まれており、搬送される紙幣の金種、真偽、正損（損傷しているか否か）、及び搬送状態を認識し、その認識結果を紙幣制御部２１へ送出するようになっている。ここで搬送状態とは、例えば紙幣が搬送方向に対し傾斜しているか否か、搬送される紙幣同士の間隔が適正か否か、及び複数枚の紙幣が重なっているか否か（すなわち重送や連鎖が発生しているか否か）等の状態を表す。
【００３５】
具体的に鑑別部２４内には、一部を図示するように、複数のローラやガイド等により、前側の前受渡口２４Ｆと後側の後受渡口２４Ｒとの間を結ぶ搬送経路が形成されている。鑑別部２４内には、例えば紙幣の搬送状態を監視する走行センサ、紙幣のイメージ画像を取得する画像センサ、及び紙幣が有する磁気的特徴を検出して真偽を判別する真偽センサ等、紙幣の鑑別に用いる種々のセンサが配置されている。
【００３６】
一時保留部２５は、いわゆるテープエスクロ方式を採用しており、円筒状のドラムの周側面に紙幣をテープと共に巻き付けることで当該紙幣を収納し、またこの周側面から当該テープを引き剥がすことで紙幣を繰り出すようになっている。この一時保留部２５は、その構造上、収納した紙幣を繰り出す際、紙幣を収納した順序と逆の順序で、且つ紙幣同士の間隔や各紙幣の進行方向に対する傾斜角度等も維持したまま、繰り出すようになっている。換言すれば、一時保留部２５は、紙幣の搬送状態を保ったまま、当該紙幣を収納し、また繰り出すようになっている。
【００３７】
区別収納庫としての上部収納庫２６は、上部ブロック１２内における後端近傍であって、搬送部２３の真上に隣接する位置に設けられている。上部収納庫２６は、内部に紙幣を収納する収納空間２６Ａと、下側の搬送部２３から受け渡される紙幣を上方へ搬送する搬送部２６Ｂと、紙幣を収納空間２６Ａ内へ放出して集積させる放出機構２６Ｃとを有している。この上部収納庫２６は、後述する鑑別部２４及び紙幣制御部２１により偽造されたと判断された紙幣（以下これを偽券とも呼ぶ）が搬送部２３により搬送されてくると、これを内部に収納するようになっている。すなわち上部収納庫２６は、いわゆる偽券庫若しくは偽券収納庫として機能するようになっている。
【００３８】
［１−２−２．搬送部の構成］
搬送部２３は、上部ブロック１２内における下端部分に、すなわち紙幣入出金機１０全体における上下のほぼ中央を前後方向に横切るように位置しており、全体的に上下方向に薄く前後方向に細長い形状となっている。この搬送部２３内には、多数の回転するローラや紙幣を案内するガイド等が適宜配置されており、紙幣の短手方向を進行方向として、主に前後方向に沿って搬送させるような直線状の搬送経路が形成されている。
【００３９】
搬送部２３は、図５に拡大図を示すように、鑑別部２４の前側に位置する第１搬送部としての前搬送部２３Ａと、当該鑑別部２４の後側に位置する第２搬送部としての後搬送部２３Ｂとにより構成されている。
【００４０】
また搬送部２３内には、複数の切替部３１、３２、３３、３４、３５、３６及び３７が配置されている。切替部３１〜３７は、ブレードと呼ばれる部材（図中三角形で示す）及びその周囲に配置された複数のローラにより構成されている。ブレードは、左右方向に長く、且つ左右方向から見て楔形に形成されており、回転して傾斜方向を変化させることで、紙幣の搬送方向を２通りまたは３通りに切り替える。各ローラは、紙幣の搬送経路を挟んで互いに対向するように配置されている。
【００４１】
搬送部２３内では、切替部３１、鑑別部２４、切替部３２〜３７の間がそれぞれ比較的短い搬送短路によりそれぞれ接続されており、全体として前後方向に沿った直線状の搬送経路が形成されている。また切替部３１〜３７は、上部ブロック１２（図３）内の各部や下部ブロック１３内の各部との間にも、それぞれ搬送短路を形成している。各搬送短路は、紙幣を案内するガイド（図示せず）や、紙幣と当接した状態で回転駆動されることで当該紙幣を進行させるローラ（一部のみ図示する）等により構成されている。
【００４２】
かかる構成により、搬送部２３は、紙幣制御部２１の制御に基づき切替部３１〜３７を適宜切り替えることで、紙幣を紙幣入出金機１０内の各部へ搬送することができる。このうち、後搬送部２３Ｂ内における最も後側に配置された切替部３７は、前方から搬送されてきた紙幣の搬送先を、下部ブロック１３内で最も後側に位置する紙幣収納庫２８Ｅ（図３）又は上部収納庫２６（図３）に切り替える。
【００４３】
このように搬送部２３は、内部で前後方向に沿った直線状の搬送経路を形成し、この搬送経路に沿って紙幣を主に前後方向へ搬送すると共に、複数の切替部によりその搬送経路を切り替えるようになっている。
【００４４】
［１−２−３．下部ブロックの構成］
下部ブロック１３には、上述した下部フレーム１８（図３及び図４）に対し、前後方向に沿って並んだ６個のスロットが形成されている。このスロットのうち最も前側の箇所には、リジェクト庫２７が装填されている。また他の５箇所のスロットには、それぞれ紙幣収納庫２８Ａ、２８Ｂ、２８Ｃ、２８Ｄ及び２８Ｅ（以下これらをまとめて紙幣収納庫２８と呼ぶ）が設けられている。
【００４５】
また紙幣入出金機１０は、下部フレーム１８が紙幣入出金機筐体１１の後方に引き出された状態（図４（Ｂ））において、リジェクト庫２７及び各紙幣収納庫２８を各スロットから上方へ抜き取らせ、またこれらを上方から下方へ降ろすことで各スロットに装着させ得るようになっている。すなわちリジェクト庫２７及び各紙幣収納庫２８は、下部フレーム１８に対し、容易に装脱し得るようになっている。
【００４６】
リジェクト庫２７は、下部ブロック１３内における最も前側且つ上寄りに位置しており、上下方向に長い直方体状に形成されると共に内部に紙幣を集積して収納する空間を有している。このリジェクト庫２７は、鑑別部２４及び紙幣制御部２１により損傷の程度が大きく再利用すべきで無いと判断された紙幣（すなわちリジェクト紙幣）が搬送部２３により搬送されて来ると、当該紙幣を内部に収納する。
【００４７】
各紙幣収納庫２８は、上下方向に長い直方体状に形成されると共に内部に紙幣を集積して収納する空間を有している。因みに紙幣収納庫２８は、上下方向の長さが下部ブロック１３とほぼ同等となっている。
【００４８】
各紙幣収納庫２８は、それぞれ収納すべき紙幣の金種が予め設定されている。この紙幣収納庫２８は、鑑別部２４及び紙幣制御部２１により損傷の程度が小さく再利用が可能であると判断された紙幣が、その金種に応じて搬送部２３により搬送されてくると、当該紙幣を内部に集積して収納する。また紙幣収納庫２８は、紙幣制御部２１から紙幣を繰り出す指示を受け付けると、集積している紙幣を１枚ずつに分離して繰り出し、搬送部２３に受け渡す。
【００４９】
因みに紙幣収納庫２８は、紙幣制御部２１の制御により、収納されている紙幣の繰出のみを行う出金庫として動作することや、搬送されてくる紙幣の収納のみを行う入金庫として動作することもできる。
【００５０】
また、下部フレーム１８のスロットから取り外された紙幣収納庫２８は、金融機関の職員等により、その内部に収納されていた紙幣が取り出され、或いは紙幣が収納される。このとき収納される紙幣は、所定の紙幣処理装置等により金種、真偽、損傷の程度等が鑑別されたものであり、出金処理において顧客へ出金し得るような良好な状態の紙幣である。
【００５１】
［１−３．入金処理及び出金処理］
次に、紙幣入出金機１０における紙幣の入金処理及び出金処理について、図６、図７及び図８を用いてそれぞれ詳細に説明する。因みに図６及び図７は、何れも紙幣入出金機１０における上部ブロック１２のうち入出金部２２、搬送部２３、鑑別部２４、一時保留部２５及び上部収納庫２６を拡大して表したものである。
【００５２】
［１−３−１．入金処理］
まず、顧客（利用者）が現金自動預払機１へ紙幣を入金する入金処理を行う場合について、図５及び図６を参照しながら説明する。紙幣入出金機１０は、入金処理において、紙幣制御部２１の制御に基づき、先に入金された紙幣の金種等を鑑別しながら枚数を計数する入金計数処理を行い、次に紙幣を適切な収納箇所へ搬送して収納する入金収納処理を行うようになっている。
【００５３】
具体的に紙幣制御部２１は、例えば顧客により操作表示部６（図１）を介して入金処理を開始する旨の操作入力を受け付けると、入金計数処理を開始し、入出金部２２のシャッタ２２Ｂを開いて収容器２２Ａ内へ紙幣を投入させる。次に紙幣制御部２１は、操作表示部６を介して紙幣の取り込みを開始する操作入力を受け付けると、シャッタ２２Ｂを閉じ、取込放出口２２Ｃを取込モードで動作させることにより、当該収容器２２Ａ内の紙幣を１枚ずつに分離して取り込み、下流に位置する搬送部２３の前搬送部２３Ａへ順次受け渡す。
【００５４】
前搬送部２３Ａは、切替部３１を切り替えて入出金部２２と後側の鑑別部２４との間を結ぶ搬送経路を形成し、矢印Ｗ１（図６）により示すように、紙幣を下流の鑑別部２４における前側の前受渡口２４Ｆへ順次受け渡す。
【００５５】
鑑別部２４は、内部で紙幣を後方へ搬送しながら各紙幣を順次鑑別し、後側の後受渡口２４Ｒから当該紙幣を後搬送部２３Ｂに受け渡すと共に、その鑑別結果を紙幣制御部２１へ送出する。
【００５６】
紙幣制御部２１は、取得した鑑別結果を基に、まず各紙幣における損傷の程度や金種、或いは真偽を判断する。次に紙幣制御部２１は、各紙幣の最終的な搬送先を決定する。具体的に紙幣制御部２１は、例えば外国の紙幣のように取り扱うことのできない種類の紙幣（以下これを入金リジェクト紙幣と呼ぶ）については、最終的に入出金部２２から顧客に返却するものとした上で、一時的な保管場所を搬送部２３における後搬送部２３Ｂの搬送路内とする。
【００５７】
また紙幣制御部２１は、偽造されたと判断した紙幣（偽券）については上部収納庫２６を、正当であるものの損傷の程度が大きい紙幣（以下これをリジェクト紙幣と呼ぶ）についてはリジェクト庫２７を、正当な紙幣（以下これを入金受入紙幣と呼ぶ）については金種ごとの各紙幣収納庫２８を、それぞれ最終的な搬送先として決定する。さらに紙幣制御部２１は、紙幣の搬送順序と対応付けて、各紙幣の金種、記番号、並びに決定した搬送先等を、鑑別部２４における計数時情報として記憶部に記憶しておく。
【００５８】
次に搬送部２３は、決定された搬送先に応じて、紙幣制御部２１の制御に基づいて各切替部における搬送経路を適宜切り替えながら、紙幣を搬送する。具体的に搬送部２３は、矢印Ｗ２のように紙幣を切替部３３まで搬送した上で、最終的な搬送先が各紙幣収納庫２８である紙幣については、矢印Ｗ３のように切替部３３により紙幣を上方へ進行させ、一時保留部２５へ搬送して収納させる。
【００５９】
また搬送部２３は、最終的な搬送先が入出金部２２である紙幣（すなわち入金リジェクト紙幣）については、切替部３３により紙幣を後方へ進行させ、後搬送部２３Ｂの搬送路内に貯留していく。
【００６０】
一方、搬送部２３は、最終的な搬送先が上部収納庫２６である紙幣（すなわち偽券）については、入金リジェクト紙幣が後搬送部２３Ｂ内に貯留されていない場合、矢印Ｗ４のように、切替部３３により紙幣を後方へ進行させ、切替部３４、３５及び３６により順次後方へ進行させた後、切替部３７により上方へ進行させて、上部収納庫２６へ搬送して収納させる。また搬送部２３は、入金リジェクト紙幣が後搬送部２３Ｂ内に貯留されている場合、偽券を上部収納庫２６へ搬送できないため、この入金リジェクト紙幣を一時保留部２５へ搬送し、入金受入紙幣と共に収納させる。
【００６１】
やがて紙幣制御部２１は、入出金部２２の収容器２２Ａから全ての紙幣を取り込み終えると、後搬送部２３Ｂ内に入金リジェクト紙幣を貯留している場合には当該入金リジェクト紙幣を入出金部２２へ搬送して顧客に返却した上で、入金計数処理を完了する。このとき紙幣制御部２１は、入出金部２２から取り込んだ紙幣の金種及び枚数の集計結果を基に入金額を算出すると共に、所定の操作指示画面を操作表示部６に表示し、この入金額を顧客に提示すると共に入金処理を継続するか否かを顧客に選択させる。
【００６２】
ここで紙幣制御部２１は、顧客により入金処理の継続が指示された場合、図７に示すように、入金収納処理を開始する。具体的に紙幣制御部２１は、まず一時保留部２５において繰出処理を開始することにより、矢印Ｗ５により示すように、収納している紙幣（入金受入紙幣）を順次繰り出し、下流に位置する搬送部２３の切替部３３へ受け渡す。
【００６３】
さらに紙幣制御部２１は、各紙幣の搬送先に応じて後搬送部２３Ｂの各切替部を適宜制御することにより、各紙幣をそれぞれの最終的な搬送先へ搬送する。具体的に紙幣制御部２１は、入金受入紙幣については、矢印Ｗ６又はＷ７のように、各紙幣を各紙幣収納庫２８へ搬送し、リジェクト紙幣については鑑別部２４及び前搬送部２３Ａによりリジェクト庫２７へ搬送し、偽券については後搬送部２３Ｂにより上部収納庫２６へ搬送して、それぞれ収納させる。
【００６４】
一方、顧客により入金処理の中止が指示された場合、紙幣制御部２１は、一時保留部２５に保留している紙幣のうち入金受入紙幣を後搬送部２３Ｂ、鑑別部２４及び前搬送部２３Ａにより順次前方へ搬送して入出金部２２の収容器２２Ａ内へ戻し、シャッタ２２Ｂを解放して顧客に返却する。このとき紙幣制御部２１は、一時保留部２５に保留している偽券については、入金処理を継続する場合と同様、搬送部２３の後搬送部２３Ｂにより上部収納庫２６へ搬送して収納させる。
【００６５】
このように紙幣入出金機１０は、入金処理において鑑別部２４の鑑別結果を基に偽券と判断した紙幣について、入金リジェクト紙幣が後搬送部２３Ｂ内に貯留されていなければ、一時保留部２５へ搬送すること無く、後搬送部２３Ｂ内を介して上部収納庫２６へ搬送するようになっている。
【００６６】
［１−３−２．出金処理］
次に、顧客が現金自動預払機１から紙幣を出金する出金処理を行う場合について、図８を参照しながら説明する。紙幣入出金機１０は、出金処理において、紙幣制御部２１の制御に基づき、指定された金額に応じた金種及び枚数の紙幣を出金する出金処理を行うようになっている。
【００６７】
具体的に紙幣制御部２１は、まず顧客から操作表示部６（図１）を介して出金額を含む所定の操作入力を受け付け、出金額に応じた紙幣の金種及び枚数を決定する。続いて紙幣制御部２１は、決定した金種及び枚数に応じて、各紙幣収納庫２８内に集積された状態で収納されている紙幣を１枚ずつに分離しながら繰り出し、後搬送部２３Ｂに順次受け渡す。
【００６８】
次に紙幣制御部２１は、各紙幣を後搬送部２３Ｂから鑑別部２４へ順次搬送することにより、当該鑑別部２４内で前方向へ進行させながら鑑別させ、さらに前搬送部２３Ａ内へ進行させる。
【００６９】
このとき紙幣制御部２１は、各紙幣の走行状態に応じてその搬送先を入出金部２２又はリジェクト庫２７に決定する。具体的に紙幣制御部２１は、当該紙幣の走行状態に問題が無ければ、前搬送部２３Ａの切替部３１において上側の入出金部２２と後側の鑑別部２４との間を結ぶ搬送経路を形成させ、矢印Ｗ９のように、当該紙幣を下流の入出金部２２へ搬送して収容器２２Ａ内に放出させる。
【００７０】
その一方で紙幣制御部２１は、例えば重送されている等、当該紙幣の走行状態に問題があれば、前搬送部２３Ａの切替部３１において後側の鑑別部２４と下側のリジェクト庫２７とを結ぶ搬送経路を形成させ、矢印Ｗ１０のように、当該紙幣を下流のリジェクト庫２７へ搬送して収納させる。
【００７１】
やがて紙幣制御部２１は、出金額に応じた全ての紙幣を入出金部２２の収容器２２Ａ内に放出し終えると、シャッタ２２Ｂを開放させて顧客に当該紙幣を取り出させる。
【００７２】
このように紙幣入出金機１０は、出金処理において、紙幣の走行状態に基づいて前搬送部２３Ａの切替部３１を切り替えさせながら、出金額に応じた紙幣を上流の各紙幣収納庫２８から下流の入出金部２２まで搬送して顧客に受け渡すようになっている。
【００７３】
［１−４．動作及び効果］
以上の構成において、第１の実施の形態による紙幣入出金機１０は、上部ブロック１２内における下部ブロック１３との境界付近に、前後方向に沿って一直線状の搬送経路を形成する搬送部２３を設け、前搬送部２３Ａと後搬送部２３Ｂとの間に鑑別部２４を配置した。
【００７４】
このため紙幣入出金機１０は、従来のように筐体の上側及び下側のそれぞれにおいてある程度の長さの搬送経路を形成した場合と比較して、搬送部２３の長さを極めて短く抑え、その走行距離を短縮させることができる。これにより紙幣入出金機１０は、搬送部２３内における紙幣の搬送に関し、詰まり等の障害が発生する危険性を大幅に低減できるので、安定的に走行させることができる。
【００７５】
また紙幣入出金機１０は、上部ブロック１２の後端近傍、すなわち後搬送部２３Ｂにおける後側の終端近傍に、上部収納庫２６を配置した。さらに後搬送部２３Ｂは、内部の搬送経路上で鑑別部２４から最も遠い切替器である切替部３７を介して、当該上部収納庫２６へ紙幣を搬送するようにした。
【００７６】
このため紙幣入出金機１０は、入金処理において、鑑別部２４での鑑別結果を基に偽券と判断された紙幣を、一時保留部２５へ収納すること無く、後搬送部２３Ｂにより上部収納庫２６へ直接搬送して収納させることができる。
【００７７】
なお紙幣入出金機１０は、偽券と判断された紙幣について、例えば後搬送部２３Ｂにおける入金リジェクト紙幣の有無に拘わらず、一時保留部２５へ搬送して収納させるようにしても良い。この場合、後段の入金収納処理において、この偽券と判断された紙幣を、一時保留部２５から上部収納庫２６へ搬送して収納させれば良い。
【００７８】
ところで紙幣入出金機１０は、仮に上部収納庫２６が省略された場合、偽券を他の正当な紙幣と区別する観点から、リジェクト庫２７に収納するか、或いは入出金部２２へ搬送して顧客に返却することになる。
【００７９】
このうち偽券をリジェクト庫２７に収納する場合には、当該リジェクト庫２７内にリジェクト紙幣と偽券とが混在するため、後でこれらを分別するための繁雑な作業が必要となってしまう。また偽券を顧客に返却する場合には、この偽券の流通を阻止することができない。
【００８０】
この点において紙幣入出金機１０は、後搬送部２３Ｂに上部収納庫２６を接続し、当該上部収納庫２６に偽券を収納するため、偽券とリジェクト紙幣とを互いに区別した状態で収納でき、分別作業が不要となる。また紙幣入出金機１０は、偽券を顧客に返却することも無いため、以降の流通を阻止することができる。
【００８１】
他の観点から見れば、紙幣入出金機１０は、後搬送部２３Ｂに対し一時保留部２５及び上部収納庫２６の双方が接続されている。このため紙幣入出金機１０は、鑑別部２４において鑑別され後受渡口２４Ｒから後搬送部２３Ｂへ受け渡される紙幣の搬送先を、切替部３３を切り替えるだけで、一時保留部２５又は上部収納庫２６へ容易に切り替えることができる（図６）。
【００８２】
また他の観点から見れば、紙幣入出金機１０は、後搬送部２３Ｂの搬送経路上において、鑑別部２４を基準として一時保留部２５よりも遠方に上部収納庫２６を接続している。このため紙幣入出金機１０は、入金された紙幣の大部分を占める入金受入紙幣については、比較的短い搬送経路を介して一時保留部２５へ搬送して収納でき、検出される頻度が低い偽券については比較的長い搬送経路を介して上部収納庫２６へ搬送して収納する。すなわち紙幣入出金機１０は、平均的な搬送経路長を短くすることができ、これにより紙幣の詰まり等が発生する可能性を引き下げることができる。
【００８３】
以上の構成によれば、第１の実施の形態による紙幣入出金機１０は、上部ブロック１２内における下部ブロック１３との境界付近に、前後方向に沿って一直線状の搬送経路を形成する搬送部２３を設け、後搬送部２３Ｂにおける後側の終端近傍に上部収納庫２６を配置し、切替部３７を介して当該上部収納庫２６へ偽券を搬送する。これにより紙幣入出金機１０は、搬送経路長を短く抑えることで紙幣の詰まりのような障害の発生頻度を低減させながら、偽券を正当な紙幣やリジェクト紙幣等と区別して収納でき、その流通を阻止することができる。
【００８４】
［２．第２の実施の形態］
第２の実施の形態は、第１の実施の形態と比較して、上部収納庫２６の使用目的及びこれに伴う紙幣の搬送処理が相違するものの、各部の構成については同様となっている。この第２の実施の形態では、上部収納庫２６に入金リジェクト紙幣が収納される。
【００８５】
具体的に上部収納庫２６の放出機構２６Ｃ（図３）は、紙幣を収納空間２６Ａ内へ放出して集積させる集積機能に加えて、収納空間２６Ａ内に収納されている紙幣を１枚ずつに分離して繰り出す分離機能を有している。このため上部収納庫２６は、後搬送部２３Ｂにより搬送されてきた紙幣を収納空間２６Ａ内に収納し、また収納空間２６Ａ内に収納している紙幣を１枚ずつ繰り出して後搬送部２３Ｂに引き渡すことができる。
【００８６】
また紙幣制御部２１は、入金処理において、第１の実施の形態とは一部異なる制御を行う。具体的に紙幣制御部２１は、まず入金計数処理において、入金リジェクト紙幣について、最終的に入出金部２２から顧客に返却するものとした上で、一時的な保管場所を上部収納庫２６に決定する。また紙幣制御部２１は、偽券についてはリジェクト紙幣と同様にリジェクト庫２７を最終的な搬送先として決定する。
【００８７】
その後、搬送部２３は、最終的な搬送先が各紙幣収納庫２８又はリジェクト庫２７である紙幣（すなわち入金受入紙幣、リジェクト紙幣及び偽券）については、一時保留部２５へ搬送して収納させる。また搬送部２３は、最終的な搬送先が入出金部２２である紙幣（すなわち入金リジェクト紙幣）については、後搬送部２３Ｂを介して上部収納庫２６へ搬送し、収納させる。
【００８８】
やがて紙幣制御部２１は、入出金部２２の収容器２２Ａから全ての紙幣を取り込み終えると、上部収納庫２６に収納している入金リジェクト紙幣を全て繰り出し、搬送部２３により入出金部２２へ搬送して顧客に返却した上で、入金計数処理を完了する。
【００８９】
その後、紙幣制御部２１は、入金収納処理において、入金受入紙幣については各紙幣を各紙幣収納庫２８へ搬送し、リジェクト紙幣及び偽券については鑑別部２４及び前搬送部２３Ａによりリジェクト庫２７へ搬送して、それぞれ収納させる。
【００９０】
このように第２の実施の形態において、紙幣入出金機１０は、入金処理において入金リジェクト紙幣と判断した紙幣について、一時保留部２５へ搬送すること無く、後搬送部２３Ｂ内を介して上部収納庫２６へ搬送するようになっている。
【００９１】
ところで紙幣入出金機１０は、仮に上部収納庫２６が省略された場合、入金リジェクト紙幣を第１の実施の形態と同様に搬送部２３の後搬送部２３Ｂにおける搬送路上に貯留することになる。この場合、後搬送部２３Ｂにおける搬送路の長さに応じて、入金リジェクト紙幣の貯留可能な枚数が、例えば４〜５枚のように比較的少ない枚数に限られる。
【００９２】
このため紙幣入出金機１０は、入金リジェクト紙幣が多く発生した場合、後搬送部２３Ｂに貯留しきれなくなった時点で、入出金部２２からの新たな紙幣の搬送及び鑑別を中断し、入金リジェクト紙幣を当該入出金部２２へ搬送して顧客に一度返却して、その後入出金部２２からの新たな紙幣の搬送及び鑑別を再開する必要がある。これにより紙幣入出金機１０は、入金処理の完了までに長時間を要し、顧客を待たせることになってしまう。
【００９３】
これに対し、第２の実施の形態による紙幣入出金機１０は、入金リジェクト紙幣を上部収納庫２６に収納するため、仮に多数の入金リジェクト紙幣が発生したとしても、これを全て上部収納庫２６に収納することができる。すなわち紙幣入出金機１０は、入出金部２２からの新たな紙幣の搬送及び鑑別を中断する必要が無いため、短時間で入金処理を完了できる。
【００９４】
その他の点においても、第２の実施の形態による紙幣入出金機１０は、第１の実施の形態と同様の作用効果を奏し得る。
【００９５】
以上の構成によれば、第２の実施の形態による紙幣入出金機１０は、上部ブロック１２内における下部ブロック１３との境界付近に、前後方向に沿って一直線状の搬送経路を形成する搬送部２３を設け、後搬送部２３Ｂにおける後側の終端近傍に上部収納庫２６を配置し、切替部３７を介して当該上部収納庫２６へ入金リジェクト紙幣を搬送する。これにより紙幣入出金機１０は、搬送経路長を短く抑えることで紙幣の詰まりのような障害の発生頻度を低減させながら、入金リジェクト紙幣が大量に発生した場合にも上部収納庫２６へ全て収納して入金処理を中断すること無く短時間で完了することができる。
【００９６】
［３．第３の実施の形態］
第３の実施の形態による現金自動預払機１０１（図１）は、第１の実施の形態による現金自動預払機１と比較して、紙幣入出金機１０に代わる紙幣入出金機１１０を有する点において相違するものの、他の点については同様に構成されている。紙幣入出金機１１０（図３）は、紙幣入出金機１０と比較して、上部ブロック１２に代わる上部ブロック１１２を有する点において相違するものの、紙幣入出金機筐体１１及び下部ブロック１３については同様に構成されている。
【００９７】
図９に示すように、上部ブロック１１２は、第１の実施の形態による上部ブロック１２（図３）と比較して、上部ユニット１５及び上部収納庫２６に代わる上部ユニット１１５及び上部収納庫１２６を有する点において相違するものの、他の点については同様に構成されている。
【００９８】
上部ユニット１１５は、第１の実施の形態による上部ユニット１５（図３及び図４）と同様、紙幣入出金機筐体１１に対し、スライドレール１６（図４）を介して取り付けられており、当該紙幣入出金機筐体１１の後方へ引き出し得るようになっている。また上部ユニット１１５の後面には、上部ユニット１５と同様に第２錠Ｌ２が設けられている（図２（Ｂ））。
【００９９】
上部収納庫１２６は、後側の縦搬送部１５１及び前側の上部カセット１５２により構成されている。この縦搬送部１５１は、前後方向に薄い扁平な直方体状に形成されたフレーム１５１Ａにより、その外周を覆っている。フレーム１５１Ａは、その下端が搬送部２３の後端上側と対向するよう、上部ユニット１１５（図９）に取り付けられている。
【０１００】
区別搬送部としての縦搬送部１５１は、フレーム１５１Ａの内部にローラ、ベルトやガイド等（一部のみ図示する）により、主に上下方向、すなわち縦方向に沿った搬送経路が形成されている。具体的に縦搬送部１５１内には、上下方向に沿った縦搬送経路１５１Ｙ１が形成されている。また縦搬送部１５１内における上端近傍及び中央付近の２箇所には、縦搬送経路１５１Ｙ１から分岐して前方向に向かう横搬送経路１５１Ｙ２及び１５１Ｙ３がそれぞれ形成されている。
【０１０１】
上部カセット１５２は、縦搬送部１５１よりも前後方向に長い直方体状に形成されたフレーム１５２Ａにより、その周囲を覆っている。フレーム１５２Ａ内の内部には、２個の収納空間１５２Ｂ１及び１５１Ｂ２が上下に重なるように配置されている。またフレーム１５２Ａ内の後側には、縦搬送部１５１の横搬送経路１５１Ｙ２及び１５１Ｙ３とそれぞれ接続される箇所に、紙幣を収納空間１５２Ｂ１及び１５２Ｂ２の内部へそれぞれへ放出して集積させる放出機構１５２Ｃ１及び１５２Ｃ２がそれぞれ設けられている。因みに放出機構１５２Ｃ１及び１５２Ｃ２は、第２の実施の形態による放出機構２６Ｃ（図３）と同様、集積機能に加えて分離機能も有している。
【０１０２】
すなわち上部カセット１５２は、２箇所の収納空間１５２Ｂ１及び１５１Ｂ２に分けて紙幣を収納することができる。このため上部カセット１５２は、例えば一方の収納空間１５２Ｂ１にリジェクト紙幣を収納し、他方の収納空間１５２Ｂ２に偽券を収納する等、互いに異なる種類の紙幣を区別した状態で収納することができる。
【０１０３】
さらにフレーム１５２Ａは、縦搬送部１５１のフレーム１５１Ａに対し所定の係合機構を介して着脱可能に係合されている。このため上部カセット１５２は、上方向へ力が加えられると、縦搬送部１５１との係合が解除され、当該縦搬送部１５１から、すなわち上部ユニット１１５から取り外される。また上部カセット１５２は、その後面を縦搬送部１５１の前面と合わせるようにして当該縦搬送部１５１の上方から下降されることにより、当該縦搬送部１５１と係合して装着される。
【０１０４】
このように上部収納庫１２６は、後側の縦搬送部１５１が上部ユニット１１５に取り付けられ、前側の上部カセット１５２が当該縦搬送部１５１に対し上方向へ持ち上げられることにより取り外される。
【０１０５】
ところで現金自動預払機１０１の後扉２Ｒ（図２）には、第１の実施の形態と同様、第１錠Ｌ１が設けられている。また紙幣入出金機１１０の上部ユニット１１５には、上述したように第２錠Ｌ２が設けられている。
【０１０６】
このため現金自動預払機１０１では、第１の実施の形態と同様、セキュリティレベルが高く第２鍵Ｋ２を有する職員であれば、紙幣入出金機筐体１１の後方へ上部ユニット１１５を引き出すことができるものの、セキュリティレベルが低く第２鍵Ｋ２を有しない職員では引き出すことができない。
【０１０７】
また縦搬送部１５１は、図９に示したように、上部ユニット１１５の後面における搬送部２３よりも上側の部分を、フレーム１５１Ａにより覆っている。このため紙幣入出金機１１０は、図２（Ｂ）に示したように後扉２Ｒが開放されたとしても、上部ユニット１１５が紙幣入出金機筐体１１内に収納されていれば、後側から上部ユニット１１５内の各部へのアクセスを防ぐ。
【０１０８】
すなわち紙幣入出金機１１０は、セキュリティレベルが高い職員に対し、図１０に示すように、上部ユニット１１５を後方へ引き出させ、上部カセット１５２を上方へ持ち上げて縦搬送部１５１から取り外させることができる。一方、紙幣入出金機１１０は、セキュリティレベルが低い職員に対し、上部ユニット１１５の後方への引き出しを許容しないため、当該上部フレーム内の上部カセット１５２等へアクセスさせることや、当該上部カセット１５２の取り外しを規制することができる。
【０１０９】
他の観点から見れば、紙幣入出金機１１０では、縦搬送部１５１から上部カセット１５２を容易に取り外すことで、偽券の回収作業等を効率良く行うことが望ましい。その一方で紙幣入出金機１１０は、金融機関における紙幣の取扱に関する取り決め等により、セキュリティレベルが低い職員に対しては偽券の回収作業を行わせないようにする必要、すなわち上部カセット１５２の取り外しを抑制する必要がある。
【０１１０】
そこで紙幣入出金機１１０は、上部ユニット１１５の最後端に縦搬送部１５１を取り付け、その前側に上部カセット１５２を配置した。これにより紙幣入出金機１１０は、上部ユニット１１５が紙幣入出金機筐体１１内に収納された状態では、縦搬送部１５１を抑制部材として機能することができるので、後方から上部カセット１５２にアクセスすること、すなわち当該上部カセット１５２に触れることや取り外すこと、或いは内部の偽券等を取り出すことを抑制できる。
【０１１１】
その一方で紙幣入出金機１１０は、セキュリティレベルが高く第２鍵Ｋ２を有する職員によって、上部ユニット１１５が紙幣入出金機筐体１１の後方へ引き出された状態であれば、上部カセット１５２を上方へ持ち上げさせるだけで、容易に取り外させることができる。
【０１１２】
すなわち紙幣入出金機１１０は、第２錠Ｌ２が設けられた上部ユニット１１５に対し、縦搬送部１５１の前側に上部カセット１５２を配置したことにより、収納される偽券等の紙幣に関するセキュリティの確保と回収作業の容易さとを高い次元で両立させることができる。
【０１１３】
さらに紙幣入出金機１１０は、その他の点においても第１の実施の形態による紙幣入出金機１０と同様の作用効果を奏し得る。
【０１１４】
以上の構成によれば、第３の実施の形態による紙幣入出金機１１０は、第２錠Ｌ２が設けられた上部ユニット１１５の最後端に上部収納庫１２６を設けた。この上部収納庫１２６は、後側において縦搬送部１５１を上部ユニット１１５に取り付け、その前側に上部カセット１５２を配置した。これにより紙幣入出金機１１０は、上部ユニット１１５が紙幣入出金機筐体１１内に収納された状態では、後方から上部カセット１５２にアクセスすることを抑制でき、当該上部ユニット１１５が引き出された状態であれば、上部カセット１５２を容易に取り外させることができる。
【０１１５】
［４．第４の実施の形態］
第４の実施の形態による現金自動預払機２０１（図１）は、第１の実施の形態による現金自動預払機１と比較して、紙幣入出金機１０に代わる紙幣入出金機２１０を有する点において相違するものの、他の点については同様に構成されている。
【０１１６】
図３と対応する図１１に示すように、紙幣入出金機２１０は、紙幣入出金機１０と比較して、上部ブロック１２に代わる上部ブロック２１２を有する点において相違するものの、紙幣入出金機筐体１１及び下部ブロック１３については同様に構成されている。
【０１１７】
上部ブロック２１２は、第１の実施の形態による上部ブロック１２（図３）と比較して、上部収納庫２６に代わる取付部２２６を有する点において相違するものの、他の点については同様に構成されている。
【０１１８】
取付部２２６は、第１の実施の形態における上部収納庫２６（図３）の位置に設けられている。このため取付部２２６は、上部収納庫２６と同様、後搬送部２３Ｂ内の切替部３７（図５）から分岐される搬送経路と接続されている。
【０１１９】
取付部２２６には、図１２（Ａ）〜（Ｆ）に示すように、入金庫２５１、出金庫２５２、入出金庫２５３、一時保留庫２５４、カセット分離型入金庫２５５及び上下分離型入金庫２５６といった、複数種類のモジュールの何れかが取り付けられるように、すなわち異なる種類のモジュールに換装可能となっている。
【０１２０】
この取付部２２６は、このモジュールを収容するための空間、このモジュールを固定するための固定部材、及びこのモジュールと電気的に接続するための配線材や接続コネクタ等により構成されている。
【０１２１】
入金庫２５１（図１２（Ａ））は、第１の実施の形態による上部収納庫２６（図５）と同様に構成されており、周囲を覆うフレーム２５１Ａ、紙幣を収納する収納空間２５１Ｂ、紙幣を搬送する搬送部２５１Ｃ及び紙幣を収納空間２５１Ｂ内へ放出する放出機構２５１Ｄにより構成されている。すなわち入金庫２５１は、搬送されてきた紙幣を収納空間２５１Ｂ内に収納する入金機能を有する一方、当該収納空間２５１Ｂ内に収納している紙幣を繰り出す出金機能は有していない。
【０１２２】
この入金庫２５１は、第１の実施の形態と同様、偽券と判断された紙幣を収納する偽券庫として使用される他、リジェクト紙幣を収納するリジェクト庫や、入金取引や出金取引において利用者が取り忘れた紙幣を取り込んで収納する取忘収納庫等として使用される。
【０１２３】
出金庫２５２（図１２（Ｂ））は、周囲を覆うフレーム２５２Ａ、紙幣を収納する収納空間２５２Ｂ、紙幣を搬送する搬送部２５２Ｃ、及び紙幣を収納空間２５２Ｂ内から１枚ずつに分離して繰り出す分離機構２５２Ｄにより構成されている。すなわち出金庫２５２は、入金庫２５１と反対に、出金機能を有しており、入金機能を有していない。この出金庫２５２は、例えば出金取引において出金する紙幣を収納する。
【０１２４】
入出金庫２５３（図１２（Ｃ））は、周囲を覆うフレーム２５３Ａ、紙幣を収納する収納空間２５３Ｂ、紙幣を搬送する搬送部２５３Ｃ、及び紙幣を収納空間２５３Ｂ内へ放出して集積させると共に収納空間２５３Ｂ内から１枚ずつに分離して繰り出す分離放出機構２５３Ｄにより構成されている。すなわち入出金庫２５３は、第２の実施の形態による上部収納庫２６や紙幣収納庫２８（図３）と同様、紙幣の入金機能及び出金機能を有している。この入出金庫２５３は、例えば紙幣収納庫２８と同様、入金取引及び出金取引において取り扱われる紙幣を収納するようになっている。
【０１２５】
一時保留庫２５４（図１２（Ｄ））は、周囲を覆うフレーム２５４Ａ、円筒状でなり回転するドラム２５４Ｂ、ドラムの周側面に巻き付くテープ２５４Ｃ及び紙幣を搬送する搬送機構２５４Ｄにより、一時保留部２５（図３）と同様に構成されている。すなわち一時保留庫２５４は、搬送されてきた紙幣をドラム２５４Ｂの周囲に巻き付けて収納し、また当該ドラム２５４Ｂの周囲から紙幣を引き剥がして繰り出すことで、入金機能及び出金機能を実現できる。この一時保留庫２５４は、例えば一時保留部２５と同様、入金取引において利用者から入金された紙幣を一時的に収納する。
【０１２６】
カセット分離型入金庫２５５（図１２（Ｅ））は、第２の実施の形態における上部収納庫１２６と同様、後側の縦搬送部２５５Ａに対し前側の収納カセット２５５Ｂが容易に取り外し得るようになっている。縦搬送部２５５Ａ内には、主に上下方向に紙幣を搬送する搬送機構２５５Ｃが組み込まれている。収納カセット２５５Ｂ内には、２個の収納空間２５５Ｄ及び２５５Ｅが上下方向に重なるように配置されている。また収納空間２５５Ｄ及び２５５Ｅの前方には、紙幣を収納空間２５５Ｄ及び２５５Ｅ内へそれぞれ放出する放出機構２５５Ｆ及び２５５Ｇが設けられている。このカセット分離型入金庫２５５は、例えば一方の収納空間２５５Ｄにリジェクト紙幣を収納し、もう一方の収納空間２５５Ｅに偽券を収納することができる。
【０１２７】
上下分離型入金庫２５６（図１２（Ｆ））は、入金庫２５１（図１２（Ａ））を上下方向に２個積み重ねたような構成となっている。すなわち上下分離型入金庫２５６は、周囲を覆うフレーム２５６Ａ及び２５６Ｂ、紙幣を収納する収納空間２５６Ｃ及び２５６Ｄ、紙幣を搬送する搬送部２５６Ｅ及び２５６Ｆ、並びに紙幣を収納空間２５６Ｃ及び２５６Ｄ内へそれぞれ放出する放出機構２５６Ｇ及び２５６Ｈにより構成されている。また搬送部２５６Ｅは、紙幣の搬送先を放出機構２５６Ｇ又は搬送部２５６Ｆへ切り替える切替機構を有している。この上下分離型入金庫２５６は、カセット分離型入金庫２５５と同様、例えば一方の収納空間２５６Ｃにリジェクト紙幣を収納し、もう一方の収納空間２５６Ｄに偽券を収納することができる。
【０１２８】
以上の構成において、第４の実施の形態による紙幣入出金機２１０は、上部ユニット１５の後端に取付部２２６を設けて後搬送部２３Ｂの切替部３７を介して紙幣の搬送経路を接続し、この取付部２２６に入金庫２５１等の複数種類のモジュールから選択したものを取り付けるようにした。
【０１２９】
このため紙幣入出金機２１０は、取付部２２６に取り付けられたモジュールの種類に応じて、当該モジュールを様々な用途に用いることができる。
【０１３０】
特に取付部２２６には、入金庫２５１のように１個の収納空間２５１Ｂのみを有するモジュールに限らず、カセット分離型入金庫２５５や上下分離型入金庫２５６のように、２個の互いに独立した収納空間を有するモジュールを取り付けることができる。この場合、紙幣入出金機２１０では、後搬送部２３Ｂにおいて取付部２２６と接続される搬送経路が１本のみであるものの、各モジュール内で搬送経路を分岐させることにより、紙幣を適切な搬送先へ搬送することができる。
【０１３１】
このため紙幣入出金機２１０は、例えば１種類の比較的多数の紙幣を収納したい場合には入金庫２５１を、また２種類の比較的少数の紙幣をそれぞれ区別して収納したい場合にはカセット分離型入金庫２５５又は上下分離型入金庫２５６を、取付部２２６に取り付ければ良い。
【０１３２】
特にカセット分離型入金庫２５５及び上下分離型入金庫２５６では、それぞれのモジュール内に上下方向に沿った搬送経路を形成している。これによりこれらのモジュールは、あたかも後搬送部２３Ｂにおける搬送経路を延長し、その延長された搬送経路に繋げるようにして複数の収納庫を増設したものと見なすこともできる。
【０１３３】
また紙幣入出金機２１０は、例えば設置される金融機関の要望等に応じて取付部２２６に取り付けるモジュールの種類が選定され、選定されたモジュールが製造工程において取り付けられる。このため紙幣入出金機２１０は、その製造工程において、取付部２２６に取り付けられるモジュールの種類に拘わらず、当該取付部２２６以外の部分を同様に製造すれば良く、部品や製造手順の共通化を図ることができるので、各種作業の効率化やコストダウンに繋げることができる。
【０１３４】
さらに紙幣入出金機２１０は、その他の点においても第１の実施の形態による紙幣入出金機１０と同様の作用効果を奏し得る。
【０１３５】
以上の構成によれば、第４の実施の形態による紙幣入出金機２１０は、上部ブロック２１２に取付部２２６を設け、この取付部２２６に入金庫２５１等の複数種類のモジュールから選択したものを取り付けるようにした。これにより紙幣入出金機２１０は、上部ブロック２１２のうち搬送部２３等の構成を変更すること無く、異なる種類のモジュールを取り付け、このモジュールに対し、紙幣収納庫２８に収納された各紙幣と区別して紙幣を収納することができる。
【０１３６】
［５．他の実施の形態］
なお上述した第１の実施の形態においては、上部ブロック１２の後端に上部収納庫２６を配置する場合について述べた。しかしながら本発明はこれに限らず、上部ブロック１２の中程や前寄りの箇所、例えば一時保留部２５よりも前側に上部収納庫２６を配置しても良い。この場合、後搬送部２３Ｂにおいて上部収納庫２６への紙幣の搬送経路を切り替える切替部３７の位置については、鑑別部２４から見て、最も遠い箇所、すなわち切替部３６よりも遠方に限らず、当該切替部３６よりも近傍や、切替部３３よりも近傍であっても良い。第２〜第４の実施の形態についても同様である。
【０１３７】
さらに上述した第１の実施の形態においては、一時保留部２５を設けると共に搬送部２３の後搬送部２３Ｂ内に切替部３３を設ける場合について述べた。しかしながら本発明はこれに限らず、例えば一時保留部２５及び切替部３３を省略しても良い。この場合、現金自動預払機１を出金専用機、いわゆるキャッシュディスペンサとして機能させることができる。この場合、上部収納庫２６は、偽券では無く、顧客が取り忘れた紙幣を収納する取忘収納庫として利用することができる。第２〜第４の実施の形態についても同様である。
【０１３８】
さらに上述した第１の実施の形態においては、入金リジェクト紙幣を後搬送部２３Ｂの搬送路内に貯留する場合について述べた。しかしながら本発明はこれに限らず、例えば入金リジェクト紙幣をその都度入出金部２２へ搬送して顧客に返却しても良い。この場合、後搬送部２３Ｂに紙幣が貯留されないため、偽券と判断された紙幣を一時保留部２５へ搬送すること無く、上部収納庫２６へ搬送して収納することができる。
【０１３９】
また上述した第３の実施の形態においては、上部収納庫１２６を縦搬送部１５１及び上部カセット１５２により構成し、上部ユニット１１５の後端に縦搬送部１５１を設け、その前側に配置した上部カセット１５２を上方向へ持ち上げて取り外させる場合について述べた。しかしながら本発明はこれに限らず、上部ユニット１５を引き出す方向である後方向と異なる種々の方向へ移動させて取り外すようにしても良い。
【０１４０】
例えば図１０と対応する図１３に示すように、上部収納庫３２６を縦搬送部３５１及び上部カセット３５２により構成し、上部ユニット３１５の後端に縦搬送部３５１を設け、その前側に配置した上部カセット３５２を左方向又は右方向へ移動させて取り外させるようにしても良い。
【０１４１】
或いは、例えば図１４に示すように、上部収納庫４２６を縦搬送部４５１及び上部カセット４５２により構成し、上部ユニット４１５の後端に縦搬送部４５１を取り付け、その前側に配置した上部カセット４５２を左方向又は右方向へ移動させてから上方へ持ち上げて取り外させるようにしても良い。
【０１４２】
さらには、図１５に示すように、上部収納庫５２６を縦搬送部５５１及び上部カセット５５２により構成し、上部ユニット５１５の後端よりもやや前寄りに縦搬送部５５１を取り付け、その後側に配置した上部カセット５５２を上方向へ移動させて取り外させるようにしても良い。この場合、上部ユニット５１５が紙幣入出金機筐体１１内に収納された状態であれば、上部カセット５５２が後面に露出しているものの、上方向へ移動させることができないために、当該上部カセット５５２の取り外しやリジェクト紙幣の抜き取りを阻止することができる。
【０１４３】
また、図１６に示すように、上部収納庫６２６を縦搬送部６５１及び上部カセット６５２により構成し、上部ユニット６１５の後端よりもやや前寄りに縦搬送部６５１を取り付け、その後側に配置した上部カセット６５２を左方向又は右方向へ移動させて取り外させるようにしても良い。
【０１４４】
さらには、図１７に示すように、上部収納庫７２６を縦搬送部７５１及び上部カセット７５２により構成し、上部ユニット７１５の後端に保護板７１５Ｗを設け、当該保護板７１５Ｗよりも前側に縦搬送部７５１を取り付け、その後側に配置した上部カセット７５２を後方向へ移動させてから上方向へ持ち上げて取り外させるようにしても良い。
【０１４５】
さらに上述した第４の実施の形態においては、上部ブロック２１２内に取付部２２６を１箇所のみ設ける場合について述べた。しかしながら本発明はこれに限らず、上部ブロック２１２内に２箇所以上の取付部２２６を設けても良い。この場合、後搬送部２３Ｂ内には、切替部３７と同様の切替部を、取付部２２６の位置に応じて追加すれば良い。
【０１４６】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１４７】
さらに上述した第１の実施の形態においては、入出部としての入出金部２２と、第１搬送部としての前搬送部２３Ａと、鑑別部としての鑑別部２４と、第２搬送部としての後搬送部２３Ｂと、収納切替部としての切替部３２、３４、３５及び３６と、媒体収納庫としての紙幣収納庫２８と、区別切替部としての切替部３７と、区別収納庫としての上部収納庫２６と、制御部としての紙幣制御部２１とによって媒体処理装置としての紙幣入出金機１０を構成する場合について述べた。
【０１４８】
しかしながら本発明はこれに限らず、その他種々の構成でなる入出部と、第１搬送部と、鑑別部と、第２搬送部と、収納切替部と、媒体収納庫と、区別切替部と、区別収納庫と、制御部とによって媒体処理装置を構成しても良い。
【０１４９】
さらに上述した第１の実施の形態においては、筐体としての筐体２と、扉としての後扉２Ｒと、可動ユニットとしての上部ユニット１５と、入出部としての入出金部２２と、第１搬送部としての前搬送部２３Ａと、鑑別部としての鑑別部２４と、第２搬送部としての後搬送部２３Ｂと、収納切替部としての切替部３２、３４、３５及び３６と、媒体収納庫としての紙幣収納庫２８と、区別切替部としての切替部３７と、区別収納庫としての上部収納庫２６と、制御部としての紙幣制御部２１とによって媒体取引装置としての現金自動預払機１を構成する場合について述べた。
【０１５０】
しかしながら本発明はこれに限らず、その他種々の構成でなる筐体と、扉と、可動ユニットと、入出部と、第１搬送部と、鑑別部と、第２搬送部と、収納切替部と、媒体収納庫と、区別切替部と、区別収納庫と、制御部とによって媒体取引装置を構成しても良い。
【産業上の利用可能性】
【０１５１】
本発明は、顧客との間で紙幣の入出金に関する取引処理を行う現金自動預払機等でも利用できる。
【符号の説明】
【０１５２】
１、１０１、２０１……現金自動預払機、２……筐体、２Ｒ……後扉、６……操作表示部、９……主制御部、１０、１１０、２１０……紙幣入出金機、１１……紙幣入出金機筐体、１２、１１２、２１２……上部ブロック、１３……下部ブロック、１５、１１５……上部ユニット、１６……スライドレール、１８……下部フレーム、１９……スライドレール、２１……紙幣制御部、２２……入出金部、２３……搬送部、２３Ａ……前搬送部、２３Ｂ……後搬送部、２４……鑑別部、２４Ｆ……前受渡口、２４Ｒ……後受渡口、２５……一時保留部、２６、１２６……上部収納庫、２６Ａ……収納空間、２６Ｂ……搬送部、２６Ｃ……放出機構、２７……リジェクト庫、２８……紙幣収納庫、３１、３２、３３、３４、３５、３６、３７……切替部、１５１……縦搬送部、１５２……上部カセット、２２６……取付部、２５１……入金庫、２５２……出金庫、２５３……入出金庫、２５４……一時保留庫、２５５……カセット分離型入金庫、２５６……上下分離型入金庫、Ｋ１……第１鍵、Ｋ２……第２鍵、Ｌ１……第１錠、Ｌ２……第２錠。
【図１】
0006503664.tif 000002
【図２】
0006503664.tif 000003
【図３】
0006503664.tif 000004
【図４】
0006503664.tif 000005
【図５】
0006503664.tif 000006
【図６】
0006503664.tif 000007
【図７】
0006503664.tif 000008
【図８】
0006503664.tif 000009
【図９】
0006503664.tif 000010
【図１０】
0006503664.tif 000011
【図１１】
0006503664.tif 000012
【図１２】
0006503664.tif 000013
【図１３】
0006503664.tif 000014
【図１４】
0006503664.tif 000015
【図１５】
0006503664.tif 000016
【図１６】
0006503664.tif 000017
【図１７】
0006503664.tif 000018